(57)【特許請求の範囲】
【請求項１】
パティキュレートフィルタと、その下流側に備えられて酸素共存下でも選択的にＮＯxをアンモニアと反応せしめる選択還元型触媒と、パティキュレートフィルタの出側から出た排気ガスを選択還元型触媒の入側に導く連絡流路とを備え、該連絡流路の途中に添加後に分解してアンモニアを生成する還元剤を添加し得るように構成した排気浄化装置であって、
前記連絡流路内に排気ガスの旋回流を形成する旋回流形成手段と、該旋回流形成手段による旋回流の形成位置より上流側の相対的に圧力が高い箇所から排気ガスの一部を抜き出して前記旋回流の形成位置に導くバイパスチャンバと、該バイパスチャンバ内を流れる排気ガスに対し前記還元剤をヒータ及び加水分解触媒により強制的に加水分解してアンモニアとして添加するサブ添加手段と、前記連絡流路の上流側で排気ガスの主流に対し前記還元剤を添加するメイン添加手段とを備え、
パティキュレートフィルタの出側端部を包囲して排気ガスを集合せしめるガス集合室と、該ガス集合室で集められた排気ガスを選択還元型触媒の入側端部へ導くミキシングパイプとにより連絡流路の上流部分を構成し、ガス集合室からの排気ガスが前記ミキシングパイプの入側端部の周囲を一方向に旋回し且つ該ミキシングパイプの周方向複数箇所に形成した開口部に対し接線方向から導入されるように構成して旋回流形成手段とし、
ミキシングパイプの入側端部の開口端面を閉塞するようにバイパスチャンバを形成すると共に、該バイパスチャンバにおける前記開口端面を閉塞している壁部に多数の散気孔を穿設し、該各散気孔を介し前記ミキシングパイプ内へアンモニアを導入し得るように構成したことを特徴とする排気浄化装置。
【請求項２】
バイパスチャンバの外周部から内側へ延在する筒体と、該筒体の内部に還元剤を噴射し得るよう前記バイパスチャンバの外周部に装着された噴射ノズルと、前記筒体の内周部に装備されたヒータと、前記筒体の内部の先端側に収容されて還元剤をアンモニアに加水分解する加水分解触媒と、旋回流形成手段による旋回流の形成位置より上流側の相対的に圧力が高い箇所から抜き出した排気ガスの一部を筒体の基端側に導き入れる排気導入管とによりサブ添加手段を構成したことを特徴とする請求項１に記載の排気浄化装置。
【請求項３】
パティキュレートフィルタと選択還元型触媒とを夫々の入側端部同士が同じ方向を向くように並列に配置し、パティキュレートフィルタの出側端部から排出された排気ガスを逆向きに折り返して隣の選択還元型触媒の入側端部に導入するＳ字構造の連絡流路を設けたことを特徴とする請求項１又は２に記載の排気浄化装置。
【発明の詳細な説明】
【技術分野】
【０００１】
本発明は、排気浄化装置に関するものである。
【背景技術】
【０００２】
近年、排気管の途中に排気ガス中のパティキュレートを捕集するパティキュレートフィルタを備えると共に、該パティキュレートフィルタの下流側に酸素共存下でも選択的にＮＯxをアンモニアと反応させ得る選択還元型触媒を備え、該選択還元型触媒と前記パティキュレートフィルタとの間に還元剤として尿素水を添加してパティキュレートとＮＯxの同時低減を図ることが提案されている。
【０００３】
この場合、選択還元型触媒への尿素水の添加は、パティキュレートフィルタと選択還元型触媒との間で行われることになるため、排気ガス中に添加された尿素水がアンモニアと炭酸ガスに熱分解されるまでの十分な反応時間を確保しようとすれば、尿素水の添加位置から選択還元型触媒までの距離を長くする必要があるが、パティキュレートフィルタと選択還元型触媒とを十分な距離を隔てて離間配置させてしまうと、車両への搭載性が著しく損なわれてしまう。
【０００４】
このため、本発明と同じ出願人により図５及び図６に示す如きコンパクトな排気浄化装置が特願２００７−２９２３として既に提案されており、ここに図示している排気浄化装置では、ディーゼルエンジン１から排気マニホールド２を介して排出される排気ガス３が流通する排気管４の途中に、排気ガス３中のパティキュレートを捕集するパティキュレートフィルタ５と、該パティキュレートフィルタ５の下流側に酸素共存下でも選択的にＮＯxをアンモニアと反応させ得る性質を備えた選択還元型触媒６とをケーシング７，８により夫々抱持して並列に配置すると共に、パティキュレートフィルタ５の出側端部と選択還元型触媒６の入側端部との間をＳ字構造の連絡流路９により接続し、パティキュレートフィルタ５の出側端部から排出された排気ガス３が逆向きに折り返されて隣の選択還元型触媒６の入側端部に導入されるようにしている。
【０００５】
図６に要部を拡大して示す如く、前記連絡流路９は、パティキュレートフィルタ５の出側端部を包囲し且つ該出側端部から出た直後の排気ガス３を略直角な向きに方向転換させつつ集合せしめるガス集合室９Ａと、該ガス集合室９Ａで集められた排気ガス３をパティキュレートフィルタ５の排気流れと逆向きに抜き出し且つその入側端部の軸心位置に尿素水添加手段１０を備えたミキシングパイプ９Ｂと、該ミキシングパイプ９Ｂにより導かれた排気ガス３を略直角な向きに方向転換させつつ分散せしめ且つその分散された排気ガス３を選択還元型触媒６の入側端部に導入し得るよう該入側端部を包囲するガス分散室９ＣとによりＳ字構造を成すように構成されている。
【０００６】
尚、パティキュレートフィルタ５が抱持されているケーシング７内の前段には、排気ガス３中の未燃燃料分を酸化処理する酸化触媒１１が装備されており、また、選択還元型触媒６が抱持されているケーシング８内の後段には、余剰のアンモニアを酸化処理するアンモニア低減触媒１２が装備されている。
【０００７】
そして、このような構成を採用すれば、パティキュレートフィルタ５により排気ガス３中のパティキュレートが捕集されると共に、その下流側のミキシングパイプ９Ｂの途中で尿素水添加手段１０から尿素水が排気ガス３中に添加されてアンモニアと炭酸ガスに分解され、選択還元型触媒６上で排気ガス３中のＮＯxがアンモニアにより良好に還元浄化される結果、排気ガス３中のパティキュレートとＮＯxの同時低減が図られることになる。
【０００８】
この際、パティキュレートフィルタ５の出側端部から排出された排気ガス３が連絡流路９により逆向きに折り返されてから隣の選択還元型触媒６の入側端部に導入されるようになっているので、前記連絡流路９の途中にある尿素水の添加位置から選択還元型触媒６までの距離が長く確保されると共に、排気ガス３の流れが折り返されることで乱流化して尿素水と排気ガス３との混合促進が図られる結果、尿素水からアンモニアが生成されるのに十分な反応時間が確保される。
【０００９】
しかも、パティキュレートフィルタ５と選択還元型触媒６とが並列に配置され、これらパティキュレートフィルタ５と選択還元型触媒６との間に沿うように連絡流路９が配置されているので、その全体構成がコンパクトなものとなって車両への搭載性が大幅に向上されることになる。
【００１０】
尚、本発明と関連する先行技術文献情報としては、例えば、下記の特許文献１等が既に存在している。
【特許文献１】特開２００５−１５５４０４号公報
【発明の開示】
【発明が解決しようとする課題】
【００１１】
しかしながら、図５及び図６に示す如き構造を採用することで尿素水からアンモニアへの十分な反応時間を確保できるとしても、排気温度が２５０℃を下まわるような低い運転状態（一般的に低負荷運転領域に排気温度が低い領域が拡がっている）では、尿素水からアンモニアへの反応そのものが良好に進まず、無理に尿素水を添加しても尿素が析出して固化してしまうだけで良好なアンモニア化を図ることができないという不具合があった。
【００１２】
例えば、都市部の路線バス等のように渋滞路ばかりを走行するような運行形態の車両では、必要温度以上での運転が長く継続しないため、選択還元型触媒に対し適切な量のアンモニアを連続して供給し続けることが難しく、ＮＯx低減率が低いまま推移してしまって良好なＮＯx低減効果を得ることができない虞れがある。
【００１３】
本発明は、上述の実情に鑑みてなされたものであり、排気温度の低い運転状態であっても、確実に尿素水等の還元剤をアンモニア化して良好なＮＯx低減効果が得られる排気浄化装置を提供することを目的としている。
【課題を解決するための手段】
【００１４】
本発明は、パティキュレートフィルタと、その下流側に備えられて酸素共存下でも選択的にＮＯxをアンモニアと反応せしめる選択還元型触媒と、パティキュレートフィルタの出側から出た排気ガスを選択還元型触媒の入側に導く連絡流路とを備え、該連絡流路の途中に添加後に分解してアンモニアを生成する還元剤を添加し得るように構成した排気浄化装置であって、
前記連絡流路内に排気ガスの旋回流を形成する旋回流形成手段と、該旋回流形成手段による旋回流の形成位置より上流側の相対的に圧力が高い箇所から排気ガスの一部を抜き出して前記旋回流の形成位置に導くバイパスチャンバと、該バイパスチャンバ内を流れる排気ガスに対し前記還元剤をヒータ及び加水分解触媒により強制的に加水分解してアンモニアとして添加するサブ添加手段と、前記連絡流路の上流側で排気ガスの主流に対し前記還元剤を添加するメイン添加手段とを備え、
パティキュレートフィルタの出側端部を包囲して排気ガスを集合せしめるガス集合室と、該ガス集合室で集められた排気ガスを選択還元型触媒の入側端部へ導くミキシングパイプとにより連絡流路の上流部分を構成し、ガス集合室からの排気ガスが前記ミキシングパイプの入側端部の周囲を一方向に旋回し且つ該ミキシングパイプの周方向複数箇所に形成した開口部に対し接線方向から導入されるように構成して旋回流形成手段とし、
ミキシングパイプの入側端部の開口端面を閉塞するようにバイパスチャンバを形成すると共に、該バイパスチャンバにおける前記開口端面を閉塞している壁部に多数の散気孔を穿設し、該各散気孔を介し前記ミキシングパイプ内へアンモニアを導入し得るように構成したことを特徴とするものである。
【００１５】
而して、負荷や回転数が共に低くて排気温度が低くなっている時にサブ添加手段を選択して還元剤の添加を行うと、該還元剤がヒータにより昇温されつつ加水分解触媒で確実にアンモニアと炭酸ガスに加水分解されてバイパスチャンバ内の排気ガスの流れに添加され、旋回流形成手段により旋回流が形成されている位置へ導入されるので、この旋回流により連絡流路内におけるアンモニアの分散が促進され、下流側の選択還元型触媒の全領域に対し満遍なく反応性の高いアンモニアが行き渡ってＮＯxが効率良く窒素に還元処理される。
特に本発明においては、ガス集合室からの排気ガスをミキシングパイプの入側端部の周囲を一方向に旋回するように導き、その排気ガスをミキシングパイプの周方向複数箇所に形成した開口部に対し接線方向から導入するようにしているので、排気ガスの旋回流が無理なく形成されることになり、しかも、ミキシングパイプ内を排気ガスの主流が流れることでバイパスチャンバ内のアンモニアが各散気孔から吸い出されて複数箇所から旋回流に混ざり、アンモニアと排気ガスとの混合性がより一層高められることになる。
【００１６】
他方、負荷や回転数が徐々に増加して排気温度が高くなってきたら、サブ添加手段からメイン添加手段に切り替えて連絡流路の上流側でバイパスチャンバを経由しない排気ガスの主流に対し還元剤を添加すれば良く、このようにすれば、還元剤が高温条件下で効率良くアンモニアと炭酸ガスに分解され、反応性の高いアンモニアにより下流側の選択還元型触媒にてＮＯxが効率良く窒素に還元処理される。
【００１７】
即ち、負荷や回転数が徐々に増加して排気流量が増加してくると、ＮＯx濃度も高まって還元剤の添加量が多く必要となるが、サブ添加手段をそのまま用いて対応しようとすると、構造上の制約からコンパクトなものとなっている加水分解触媒に対し還元剤が多量に添加されて該加水分解触媒がびしょ濡れの状態となり、このびしょ濡れの状態の加水分解触媒が排気ガスの流れに晒されて多量の潜熱を奪われることにより温度低下し、加水分解触媒における還元剤の加水分解が停滞して選択還元型触媒へのアンモニアの供給が遅れ、ＮＯx濃度の変化に還元剤の添加量をいくら追従させても実際の選択還元型触媒における還元反応が良好に追従しないという不具合が起こり得るため、負荷や回転数が徐々に増加して排気温度が上昇してきたならば、メイン添加手段に切り替えて還元剤を添加した方が良いのである。
【００１８】
更に、本発明をより具体的に実施するに際しては、バイパスチャンバの外周部から内側へ延在する筒体と、該筒体の内部に還元剤を噴射し得るよう前記バイパスチャンバの外周部に装着された噴射ノズルと、前記筒体の内周部に装備されたヒータと、前記筒体の内部の先端側に収容されて還元剤をアンモニアに加水分解する加水分解触媒と、旋回流形成手段による旋回流の形成位置より上流側の相対的に圧力が高い箇所から抜き出した排気ガスの一部を筒体の基端側に導き入れる排気導入管とによりサブ添加手段を構成することが好ましい。
【００２１】
また、パティキュレートフィルタと選択還元型触媒とを夫々の入側端部同士が同じ方向を向くように並列に配置し、パティキュレートフィルタの出側端部から排出された排気ガスを逆向きに折り返して隣の選択還元型触媒の入側端部に導入するＳ字構造の連絡流路を設けるようにしても良い。
【発明の効果】
【００２２】
上記した本発明の排気浄化装置によれば、下記の如き種々の優れた効果を奏し得る。
【００２３】
（Ｉ）本発明の請求項１、２に記載の発明によれば、排気温度の低い運転状態であっても、サブ添加手段を選択して還元剤の添加を行うことにより、該還元剤をヒータにより昇温しながら加水分解触媒にて強制的にアンモニアと炭酸ガスに加水分解することができ、しかも、旋回流形成手段により形成した旋回流でアンモニアの分散を促進して該アンモニアと排気ガスとの混合性を効果的に促進することができるので、選択還元型触媒の全領域に対し満遍なく反応性の高いアンモニアを行き渡らせてＮＯxを効率良く窒素に還元処理することができ、排気温度の低い運転状態におけるＮＯx低減効果を従来よりも著しく向上することができる。
【００２４】
（ＩＩ）本発明の請求項１、２に記載の発明によれば、ガス集合室からの排気ガスをミキシングパイプの入側端部の周囲を一方向に旋回するように導き、その排気ガスをミキシングパイプの周方向複数箇所に形成した開口部に対し接線方向から導入するようにしているので、排気ガスの旋回流を無理なく形成することができ、ミキシングパイプの途中に旋回翼等を固定設置して排気ガスの旋回流を形成した場合の如き大幅な圧力損失の増加を回避することができる。
【００２５】
（ＩＩＩ）本発明の請求項１、２に記載の発明によれば、ミキシングパイプ内の排気ガスの流れを利用してバイパスチャンバ内のアンモニアを各散気孔から吸い出し、ミキシングパイプ内に形成された排気ガスの旋回流に対し複数箇所からアンモニアを導入して、該アンモニアと排気ガスとの混合性を大幅に向上することができる。
【００２６】
（ＩＶ）本発明の請求項３に記載の発明によれば、排気温度の高い運転状態でメイン添加手段により添加した還元剤をアンモニアに分解させるのに十分な反応時間を確保しながらもパティキュレートフィルタ及び選択還元型触媒のコンパクトな配置を実現することができ、従来よりも車両への搭載性を大幅に向上することができる。
【発明を実施するための最良の形態】
【００２７】
以下本発明の実施の形態を図面を参照しつつ説明する。
【００２８】
図１〜図４は本発明を実施する形態の一例を示すもので、本形態例においては、前述した図５及び図６のものと略同様に、パティキュレートフィルタ５と選択還元型触媒６とを夫々の入側端部同士が同じ方向を向くように並列に配置し、パティキュレートフィルタ５の出側端部から排出された排気ガス３を逆向きに折り返して隣の選択還元型触媒６の入側端部に導入するＳ字構造の連絡流路９を設けた排気浄化装置に関し、連絡流路９の上流部分を構成しているガス集合室９Ａとミキシングパイプ９Ｂとの接続箇所に、以下に詳述する如き排気ガス３の旋回流を形成する旋回流形成手段１３を構成するようにしている。
【００２９】
即ち、特に図２に示されている通り、ガス集合室９Ａの下流側端部がミキシングパイプ９Ｂの入側端部の周囲をスクロール形状を成すように被包し、これによりガス集合室９Ａからの排気ガス３がミキシングパイプ９Ｂの入側端部の周囲を一方向に旋回する流れ（図２中における矢印を参照）を誘導されるようになっており、しかも、他方、前記ミキシングパイプ９Ｂの入側端部における上下位置に開口部１４が形成されていて、該各開口部１４に対し排気ガス３が接線方向から導入されるようになっている。
【００３０】
尚、図２中における符号１５は、ガス集合室９Ａの下流側端部のスクロール形状により誘導される排気ガス３の流れを二分して旋回方向内側の流れを下方の開口部１４に対し接線方向から導入せしめる仕切板を示しており、この仕切板１５により二分された旋回方向内側の流れが下方の開口部１４に対し接線方向から導入され且つ旋回方向外側の流れが上方の開口部１４に対し接線方向から導入されることにより、ミキシングパイプ９Ｂ内に効率良く排気ガス３の旋回流が形成されるようにしてある。
【００３１】
そして、このように旋回流形成手段１３が構成されているガス集合室９Ａとミキシングパイプ９Ｂとの接続箇所において、該ミキシングパイプ９Ｂの入側端部の開口端面を閉塞するようにバイパスチャンバ１６が形成されており、このバイパスチャンバ１６は、上方の開口部１４に入る直前の相対的に圧力が高まっている箇所から排気導入管１７を介し排気ガス３の一部を抜き出し且つ前記ミキシングパイプ９Ｂの開口端面を閉塞している壁部に穿設した多数の散気孔１８から前記ミキシングパイプ９Ｂ内へ戻すようになっている（図１、図３、図４参照）。
【００３２】
ここで、特に図４に示す如く、前記バイパスチャンバ１６には、その内部を流れる排気ガス３に対し尿素水をヒータ１９及び加水分解触媒２０により強制的に加水分解してアンモニアとして添加するサブ添加手段２１が装備されており、前記加水分解触媒２０では、次式
［化１］
（ＮＨ2）2ＣＯ＋Ｈ2Ｏ→２ＮＨ3＋ＣＯ2
により尿素水が効率良くアンモニアと炭酸ガスに加水分解されるようになっている。
【００３３】
このサブ添加手段２１は、バイパスチャンバ１６の外周部から内側へ延在する筒体２２を備え、該筒体２２の内部に尿素水を噴射し得るよう前記バイパスチャンバ１６の外周部に噴射ノズル２３を装着しており、しかも、前記筒体２２の内周部にヒータ１９を装備すると共に、前記筒体２２の内部の先端側に尿素水をアンモニアに加水分解する加水分解触媒２０を収容し、前記上方の開口部１４に入る直前の相対的に圧力が高まっている箇所から抜き出した排気ガス３の一部を前記排気導入管１７を通して前記筒体２２の基端側に導き入れるように構成されている。
【００３４】
他方、前記ガス集合室９Ａの上流側におけるパティキュレートフィルタ５の出側端部を被包している部分には、排気ガス３の主流に対し尿素水を添加するメイン添加手段２４が装備されており、このメイン添加手段２４は、実質的にガス集合室９Ａの外周部に装着された噴射ノズルのみで構成されている。
【００３５】
而して、負荷や回転数が共に低くて排気温度が低くなっている時にサブ添加手段２１を選択して尿素水の添加を行うと、該尿素水がヒータ１９により昇温されつつ加水分解触媒２０で確実にアンモニアと炭酸ガスに加水分解されてバイパスチャンバ１６内の排気ガス３の流れに添加され、旋回流形成手段１３により旋回流が形成されている位置へ導入されるので、この旋回流により連絡流路９内におけるアンモニアの分散が促進され、下流側の選択還元型触媒６の全領域に対し満遍なく反応性の高いアンモニアが行き渡ってＮＯxが効率良く窒素に還元処理される。
【００３６】
特に本形態例においては、ミキシングパイプ９Ｂの入側端部の開口端面を閉塞するようにバイパスチャンバ１６が形成されており、該バイパスチャンバ１６における前記開口端面を閉塞している壁部に穿設した多数の散気孔１８を介し前記ミキシングパイプ９Ｂ内へアンモニアが導入されるようにしているので、ミキシングパイプ９Ｂ内を排気ガス３の主流が流れることでバイパスチャンバ１６内のアンモニアが各散気孔１８から吸い出されて複数箇所から旋回流に混ざり、アンモニアと排気ガス３との混合性がより一層高められることになる。
【００３７】
ここで、補足して説明しておくと、アンモニアの比重は、排気ガスの比重の約１／２しかないため、単純に一箇所から排気ガスの流れに導入しても混ざり難いという傾向があるが、ミキシングパイプ９Ｂ内を排気ガス３の主流が流れることによる吸引作用を利用し、バイパスチャンバ１６内のアンモニアを多数の散気孔１８から分散させて排気ガス３の旋回流に導入させるようにすれば、アンモニアと排気ガス３との効果的な混合化が図られるのである。
【００３８】
他方、負荷や回転数が徐々に増加して排気温度が高くなってきたら、サブ添加手段２１からメイン添加手段２４に切り替えて連絡流路９の上流側で排気ガス３の主流に対し尿素水を添加すれば良く、このようにすれば、尿素水が高温条件下で効率良くアンモニアと炭酸ガスに分解され、反応性の高いアンモニアにより下流側の選択還元型触媒６にてＮＯxが効率良く窒素に還元処理される。
【００３９】
即ち、負荷や回転数が徐々に増加して排気流量が増加してくると、ＮＯx濃度も高まって尿素水の添加量が多く必要となるが、サブ添加手段２１をそのまま用いて対応しようとすると、構造上の制約からコンパクトなものとなっている加水分解触媒２０に対し尿素水が多量に添加されて該加水分解触媒２０がびしょ濡れの状態となり、このびしょ濡れの状態の加水分解触媒２０が排気ガス３の流れに晒されて多量の潜熱を奪われることにより温度低下し、加水分解触媒２０における尿素水の加水分解が停滞して選択還元型触媒６へのアンモニアの供給が遅れ、ＮＯx濃度の変化に尿素水の添加量をいくら追従させても実際の選択還元型触媒６における還元反応が良好に追従しないという不具合が起こり得るため、負荷や回転数が徐々に増加して排気温度が上昇してきたならば、メイン添加手段２４に切り替えて尿素水を添加した方が良いのである。
【００４０】
従って、上記形態例によれば、排気温度の低い運転状態であっても、サブ添加手段２１を選択して尿素水の添加を行うことにより、該尿素水をヒータ１９により昇温しながら加水分解触媒２０にて強制的にアンモニアと炭酸ガスに加水分解することができ、しかも、旋回流形成手段１３により形成した旋回流でアンモニアの分散を促進して該アンモニアと排気ガス３との混合性を効果的に促進することができるので、選択還元型触媒６の全領域に対し満遍なく反応性の高いアンモニアを行き渡らせてＮＯxを効率良く窒素に還元処理することができ、排気温度の低い運転状態におけるＮＯx低減効果を従来よりも著しく向上することができる。
【００４１】
また、ガス集合室９Ａからの排気ガス３をミキシングパイプ９Ｂの入側端部の周囲を一方向に旋回するように導き、その排気ガス３をミキシングパイプ９Ｂの周方向複数箇所に形成した開口部１４に対し接線方向から導入するようにしているので、排気ガス３の旋回流を無理なく形成することができ、ミキシングパイプ９Ｂの途中に旋回翼等を固定設置して排気ガス３の旋回流を形成した場合の如き大幅な圧力損失の増加を回避することができる。
【００４２】
更に、本形態例おいては、ミキシングパイプ９Ｂ内の排気ガス３の流れを利用してバイパスチャンバ１６内のアンモニアを各散気孔１８から吸い出し、ミキシングパイプ９Ｂ内に形成された排気ガス３の旋回流に対し複数箇所からアンモニアを導入するようにしているので、該アンモニアと排気ガス３との混合性を大幅に向上することもできる。
【００４３】
また、ここに例示している通り、パティキュレートフィルタ５と選択還元型触媒６とを夫々の入側端部同士が同じ方向を向くように並列に配置し、パティキュレートフィルタ５の出側端部から排出された排気ガス３をＳ字構造の連絡流路９により逆向きに折り返して隣の選択還元型触媒６の入側端部に導入するようにした構成によれば、排気温度の高い運転状態でメイン添加手段２４により添加した尿素水をアンモニアに分解させるのに十分な反応時間を確保しながらもパティキュレートフィルタ５及び選択還元型触媒６のコンパクトな配置を実現することができ、従来よりも車両への搭載性を大幅に向上することができる。
【００４４】
尚、本発明の排気浄化装置は、上述の形態例にのみ限定されるものではなく、添加後に分解してアンモニアを生成する還元剤としては、例えば、尿素水以外にも蟻酸等の物質を適宜に採用し得ること、また、図示ではパティキュレートフィルタと選択還元型触媒とを並列に配置した場合を例示しているが、パティキュレートフィルタと選択還元型触媒とを直列に配置した場合や、クランク状に配置した場合等でも同様に適用し得ること、その他、本発明の要旨を逸脱しない範囲内において種々変更を加え得ることは勿論である。
【図面の簡単な説明】
【００４５】
【図１】本発明を実施する形態の一例を示す斜視図である。
【図２】図１の旋回流形成手段の正面断面図である。
【図３】図１のバイパスチャンバの正面断面図である。
【図４】図１の旋回流形成手段及びバイパスチャンバの側面断面図である。
【図５】従来例を示す概略図である。
【図６】図５の要部を拡大して示す斜視図である。
【符号の説明】
【００４６】
３  排気ガス
４  排気管
５  パティキュレートフィルタ
６  選択還元型触媒
９  連絡流路
９Ａ  ガス集合室
９Ｂ  ミキシングパイプ
９Ｃ  ガス分散室
１３  旋回流形成手段
１４  開口部
１６  バイパスチャンバ
１７  排気導入管
１８  散気孔
１９  ヒータ
２０  加水分解触媒
２１  サブ添加手段
２２  筒体
２３  噴射ノズル
２４  メイン添加手段
【図１】
0005066400.tif 000002
【図２】
0005066400.tif 000003
【図３】
0005066400.tif 000004
【図４】
0005066400.tif 000005
【図５】
0005066400.tif 000006
【図６】
0005066400.tif 000007